(57)【特許請求の範囲】
【請求項１】
洗濯機本体の上部を覆い略中央部に衣類投入口を形成した上部枠体と、前記上部枠体の前方上部に取り付けられ操作面を有するパネル部材とを備え、前記上部枠体は、蓋ロック用の操作部材の取付孔と洗濯用補助剤投入口とが前記パネル部材の取り付け位置の後方近傍に前記衣類投入口に対して左右に分かれて設けられ、前記パネル部材は、前記蓋ロック用の操作部材の取付孔に連通する第１の連通孔を有する仕様と有しない仕様および前記洗濯用補助剤投入口に連通する第２の連通孔を有する仕様と有しない仕様を有し、製品仕様に応じて、前記仕様のパネル部材の中から選択して取り付けるよう構成した洗濯機。
【発明の詳細な説明】
【０００１】
【発明の属する技術分野】
本発明は、洗濯機本体の上部を覆う上部枠体にパネル部材を取り付けて構成した洗濯機に関するものである。
【０００２】
【従来の技術】
従来、この種の洗濯機は図３および図４に示すような構成が一般的であった。以下、その構成について説明する。
【０００３】
図３および図４に示すように、洗濯機本体１は、内部に洗濯槽２を支持し、この洗濯機本体１の上部に上部枠体３を装着し、上部枠体３の略中央部に衣類投入口４を形成し、蓋５で覆っている。また、上部枠体３の後部に電磁給水弁６と、注水口部材７を内蔵し、後方パネル部材８で覆っている。
【０００４】
また、上部枠体３の前部に、プリント基板収納部９を形成し、このプリント基板収納部９を上方より覆設し、かつボタン１０を有する前方パネル部材１１を設け、この前方パネル部材１１の裏面にスイッチ等を有する操作用プリント基板１２を装着している。
【０００５】
また、上部枠体３には漂白剤などの洗濯用補助剤を投入する孔部１３を形成している。
【０００６】
【発明が解決しようとする課題】
洗濯機は、その種類やグレードにより、柔軟剤や予約時の液体洗剤を収納するケースを上部枠体に設ける機種と、それらのケースを設けず、上部枠体に設けた孔から直接洗濯槽内に投入するタイプの機種がある。また、脱水回転時に蓋を開けた時などのブレーキ時間により、蓋ロックをつける機種と、つけない機種など種類は様々である。このような場合、その機種ごとに上部枠体を新設する必要があった。
【０００７】
本発明は上記従来の課題を解決するもので、洗濯機の種類やグレードが変わっても上部枠体を同一のものとし、金型費用を節減するとともに、生産性を向上してコストを低減することを目的としている。
【０００８】
【課題を解決するための手段】
本発明は上記目的を達成するために、洗濯機本体の上部を覆い略中央部に衣類投入口を形成した上部枠体の前方上部に操作面を有するパネル部材を取り付け、上部枠体は、蓋ロック用の操作部材の取付孔と洗濯用補助剤投入口とがパネル部材の取り付け位置の後方近傍に衣類投入口に対して左右に分かれて設けられ、パネル部材は、蓋ロック用の操作部材の取付孔に連通する第１の連通孔を有する仕様と有しない仕様および洗濯用補助剤投入口に連通する第２の連通孔を有する仕様と有しない仕様を有し、製品仕様に応じて、前記仕様のパネル部材の中から選択して取り付けるよう構成したものである。
【０００９】
これにより、洗濯機の種類やグレードが変わっても上部枠体を同一のものとすることができ、金型費用を節減できるとともに、生産性を向上できてコストを低減することができる。
【００１０】
【発明の実施の形態】
本発明の請求項１に記載の発明は、洗濯機本体の上部を覆い略中央部に衣類投入口を形成した上部枠体と、前記上部枠体の前方上部に取り付けられ操作面を有するパネル部材とを備え、前記上部枠体は、蓋ロック用の操作部材の取付孔と洗濯用補助剤投入口とが前記パネル部材の取り付け位置の後方近傍に前記衣類投入口に対して左右に分かれて設けられ、前記パネル部材は、前記蓋ロック用の操作部材の取付孔に連通する第１の連通孔を有する仕様と有しない仕様および前記洗濯用補助剤投入口に連通する第２の連通孔を有する仕様と有しない仕様を有し、製品仕様に応じて、前記仕様のパネル部材の中から選択して取り付けるよう構成したものであり、パネル部材を操作面と一体に構成することにより、構成部品を増やすことなく、多くの洗濯機の種類やグレードで上部枠体を同一のもので構成することができ、金型費用を節減できるとともに、生産性を向上できてコストを低減することができる。
【００１１】

【実施例】
以下、本発明の一実施例について、図面を参照しながら説明する。なお、従来例と同じ構成のものは同一符号を付して説明を省略する。
【００１２】
図１に示すように、上部枠体１３は、洗濯機本体１の上部を覆い、洗濯用補助剤投入口（孔）１４と、蓋ロック用の操作部材の取付孔（孔）１５を形成している。パネル部材１６ａ、１６ｂは、製品仕様に応じて、いずれかを上部枠体１３の上部に取り付けるもので、パネル部材１６ａは、蓋ロック用の操作部材の取付孔１５に連通する第１の連通孔１７を有し、パネル部材１６ｂは、洗濯用補助剤投入口１４に連通する第２の連通孔１８を有している。
【００１３】
上部枠体１３の後方には、柔軟剤や予約時の液体洗剤を収納するケース１９を設けている。また、上部枠体１３は、図２に示すように、注水口２０も取付け可能としている。
【００１４】
上記構成において、柔軟剤や予約時の液体洗剤を収納するケース１９を設けるタイプの機種の場合、洗濯用補助剤投入口１４が不必要となるため、それを覆うようにパネル部材１６ａを上部枠体１３に取付ける。
【００１５】
また、柔軟剤や予約時の液体洗剤を収納するケース１９を設けず、洗濯用補助剤投入口１４から直接洗濯槽内に投入するタイプの機種の場合、洗濯用補助剤投入口１４が必要となるため、パネル部材１６ｂを上部枠体１３に取付ける。
【００１６】
これにより、洗濯機の種類やグレードにより、柔軟剤や予約時の液体洗剤を収納するケース１９を設けるタイプの機種と、ケース１９を設けず、洗濯用補助剤投入口１４から直接洗濯槽内に投入するタイプの機種の上部枠体１３を同一のものとすることができる。
【００１７】
また、上部枠体１３に、蓋ロック用の操作部材の取付孔１５を形成しているので、蓋ロックをつける機種と、つけない機種などのような場合においても、パネル部材１６ａ、１６ｂを交換することで、上部枠体１３を共用することができる。
【００１８】
そして、パネル部材１６ａ、１６ｂを操作面１５と一体に構成することにより、構成部品を増やすことなく上部枠体１３を共用することができる。
【００１９】
【発明の効果】
以上のように本発明の請求項１に記載の発明によれば、洗濯機本体の上部を覆い略中央部に衣類投入口を形成した上部枠体と、前記上部枠体の前方上部に取り付けられ操作面を有するパネル部材とを備え、前記上部枠体は、蓋ロック用の操作部材の取付孔と洗濯用補助剤投入口とが前記パネル部材の取り付け位置の後方近傍に前記衣類投入口に対して左右に分かれて設けられ、前記パネル部材は、前記蓋ロック用の操作部材の取付孔に連通する第１の連通孔を有する仕様と有しない仕様および前記洗濯用補助剤投入口に連通する第２の連通孔を有する仕様と有しない仕様を有し、製品仕様に応じて、前記仕様のパネル部材の中から選択して取り付けるよう構成したから、構成部品を増やすことなく、多くの洗濯機の種類やグレードで上部枠体を同一のもので構成することができ、金型費用を節減できるとともに、生産性を向上できてコストを低減することができる。
【図面の簡単な説明】
【図１】  本発明の一実施例の洗濯機の一部切欠した分解斜視図
【図２】  同洗濯機の別仕様の要部斜視図
【図３】  従来の洗濯機の一部切欠した分解斜視図
【図４】  同洗濯機の一部切欠した縦断面図
【符号の説明】
１  洗濯機本体
１３  上部枠体
１４  洗濯用補助剤投入口（孔）
１５  蓋ロック用の操作部材の取付孔（孔）
１６ａ  パネル部材
１６ｂ  パネル部材
【図１】
0004003517.tif 000002
【図２】
0004003517.tif 000003
【図３】
0004003517.tif 000004
【図４】
0004003517.tif 000005